(57)【要約】【課題】マンホールが簡単に沈下するのを阻止して沈下によって引き起こされるマンホールの周囲の路面の亀裂の発生を防ぐと共に止水性を高めることにある。【解決手段】マンホール壁２の円周上端面２１に高さを調整するために載置される円形の調整リング１１の外周側面に、この外周側面から土圧抵抗鍔１２をその半径方向に被載置のマンホール壁２の円周上端面２１の外周よりも張り出して一体的に形成した。【選択図】        図１
2008101391.tif 000002
【特許請求の範囲】
【請求項１】
マンホール蓋受枠の取り付け工事において使用されるものであって、筒形のマンホール壁の円周上端面に高さを調整するために載置される円形の調整リングの外周側面に、この外周側面から土圧抵抗鍔をその半径方向に被載置のマンホール壁の円周上端面の外周よりも張り出して一体的に形成したことを特徴とするマンホール上部補強型調整リング。
【請求項２】
マンホール蓋受枠の取り付け工事において使用されるものであって、筒形のマンホール壁の円周上端面に高さを調整するために載置される円形の調整リングの外周側面に、この外周側面から土圧抵抗鍔をその半径方向に被載置のマンホール壁の円周上端面の外周よりも張り出して一体的に形成し、土圧抵抗鍔の上面を調整リングの上面と同一の平坦面に形成し、土圧抵抗鍔の調整リング外周側面側の下面を調整リングの下面より少し低い位置に形成すると共に土圧抵抗鍔の下面を土圧抵抗鍔の外周縁に向けて斜め上向きの傾斜面に形成したことを特徴とするマンホール上部補強型調整リング。
【請求項３】
マンホール蓋受枠の取り付け工事において、筒形のマンホール壁の円周上端面に、等間隔で複数の調整ボルトを上下向きに取り付け、高さを調整するための請求項１又は請求項２のマンホール上部補強型調整リングを載置し、マンホール蓋受枠を一時的に支持するバネで勾配調整ボルトの周囲を支持しながら勾配調整ボルトで勾配調整してマンホール蓋受枠を取り付ける一方で、マンホール蓋受枠の取り付け前後に調整モルタルが充填される前記マンホール上部補強型調整リングの内周側寄り上面とマンホール蓋受枠の内周側寄り下面とに吸水膨張性止水材をリング状に取り付けた後、マンホール上部補強型調整リングとマンホール蓋受枠との隙間に調整モルタルを充填したことを特徴とするマンホール蓋受枠の取付補強工法。
【発明の詳細な説明】
【技術分野】
【０００１】
この発明は、マンホール蓋受枠の取り付け工事の技術に係り、特に、マンホールの沈下によって引き起こされるマンホールの周囲の路面の亀裂の発生を防ぐマンホール上部補強型調整リング、及びこのマンホール上部補強型調整リングを用いると共に止水性を高めたマンホール蓋受枠の取付補強工法に関するものである。
【背景技術】
【０００２】
マンホール蓋及びマンホール蓋受枠などのマンホール上部を道路などの表面に取り付ける工事にあっては、一般に次のような工程を経て取り付けられる。例えば図８に図示するように、道路などに埋設された円筒形又は傾斜円筒形のマンホール壁１０１の円周上端面には、通常、等間隔で３箇所にボルト取付穴が形成されており、この各ボルト取付穴に勾配調整ボルト１０２を上向きに差し込んで取り付ける。
次にマンホール壁の円周上端面に高さを調整するためのコンクリート製の円形の調整リング１０３を載せる。調整リング１０３は高さを調整する目的で使用されるので、調整リング１０３の外周直径はマンホール壁１０１の円周上端面の外周直径と同一になっている。この調整リング１０３には予めボルト取付穴に対応する箇所にボルト貫通孔が形成されており、各ボルト貫通孔に対応する勾配調整ボルト１０２を貫通して調整リング１０３をマンホール壁１０１の円周上端面に載せる。
この調整リング１０３の上側にマンホール蓋受枠１０４を設置することになるが、マンホール蓋受枠１０４が設置される路面は通常勾配があり傾いている。このため、マンホール蓋受枠１０４は路面の勾配に合わせて傾斜して取り付けることになる。これに対して、その下側のマンホール壁１０１及び調整リング１０３は水平に設置されている。また、マンホール蓋受枠１０４には円形側板の下端から外側に向けて水平な円形リング状底板が形成されており、この円形リング状底板には上記のボルト取付穴及びボルト貫通孔に対応する箇所にボルト取付孔が形成されている。
そこで、勾配調整ボルト１０２に調整ナットを螺合してその高さを調整して、上記の勾配調整ボルト１０２にマンホール蓋受枠１０４の底板の各ボルト取付孔を貫通させて、勾配調整ボルト１０２に螺合した調整ナットの上面でマンホール蓋受枠１０４の底板のボルト取付孔の周囲を支持して、マンホール蓋受枠１０４の高さを路面の勾配に合うように調整している。
そして、マンホール蓋受枠１０４の高さを路面の勾配に合わせた後、マンホール蓋受枠１０４の底板と調整リング１０３の上面との隙間に調整モルタル１０５を充填して、マンホール蓋受枠１０４を路面に据え付けている。
【発明の開示】
【発明が解決しようとする課題】
【０００３】
しかしながら、路面に設置されたマンホールは、例えば交通車両などによる外力１０６、地盤などの種々の影響により沈下することがあるが、沈下に対して有効に抵抗できるような構造になっていないことが多い。そして、マンホールが沈下すると、この沈下に伴いマンホールの周囲の路面に亀裂１０７が入り、補修作業などを行う必要性が生じている。
また、マンホール蓋受枠の底板と調整リングの上面との隙間に調整モルタルを充填して雨水などの浸入を防いでいるが、時間の経過に伴い、マンホール蓋受枠の底板と調整モルタルとの間から水が浸入したり、或いは調整モルタルと調整リングとの間から水が浸入したりして、マンホール壁の内周側壁面が侵入した水で汚れるという問題があった。これに加えて、下水道には多数のマンホールが設置されているため、各マンホールの調整モルタルからの浸水を通じて下水道内に多量の水が流れ込むという問題もあった。
【０００４】
この発明は、上記のような課題に鑑み、その課題を解決すべく創案されたものであって、その目的とするところは、マンホールが簡単に沈下するのを阻止して沈下によって引き起こされるマンホールの周囲の路面の亀裂の発生を防ぐことのできるマンホール上部補強型調整リングを提供することにあり、また、マンホールが簡単に沈下するのを阻止して沈下によって引き起こされるマンホールの周囲の路面の亀裂の発生を防ぐと共に止水性を高めることのできるマンホール蓋受枠の取付補強工法を提供することにある。
【課題を解決するための手段】
【０００５】
以上の目的を達成するために、請求項１の発明は、マンホール蓋受枠の取り付け工事において使用されるものであって、筒形のマンホール壁の円周上端面に高さを調整するために載置される円形の調整リングの外周側面に、この外周側面から土圧抵抗鍔をその半径方向に被載置のマンホール壁の円周上端面の外周よりも張り出して一体的に形成した手段よりなるものである。
【０００６】
また、請求項２の発明は、マンホール蓋受枠の取り付け工事において使用されるものであって、筒形のマンホール壁の円周上端面に高さを調整するために載置される円形の調整リングの外周側面に、この外周側面から土圧抵抗鍔をその半径方向に被載置のマンホール壁の円周上端面の外周よりも張り出して一体的に形成し、土圧抵抗鍔の上面を調整リングの上面と同一の平坦面に形成し、土圧抵抗鍔の調整リング外周側面側の下面を調整リングの下面より少し低い位置に形成すると共に土圧抵抗鍔の下面を土圧抵抗鍔の外周縁に向けて斜め上向きの傾斜面に形成した手段よりなるものである。
【０００７】
また、請求項３の発明は、マンホール蓋受枠の取り付け工事において、筒形のマンホール壁の円周上端面に、等間隔で複数の調整ボルトを上下向きに取り付け、高さを調整するための請求項１又は請求項２のマンホール上部補強型調整リングを載置し、マンホール蓋受枠を一時的に支持するバネで勾配調整ボルトの周囲を支持しながら勾配調整ボルトで勾配調整してマンホール蓋受枠を取り付ける一方で、マンホール蓋受枠の取り付け前後に調整モルタルが充填される前記マンホール上部補強型調整リングの内周側寄り上面とマンホール蓋受枠の内周側寄り下面とに吸水膨張性止水材をリング状に取り付けた後、マンホール上部補強型調整リングとマンホール蓋受枠との隙間に調整モルタルを充填した手段よりなるものである。
【発明の効果】
【０００８】
以上の記載より明らかなように、請求項１、請求項２の発明に係るマンホール上部補強型調整リングによれば、マンホール壁の円周上端面に高さを調整するために載置される円形の調整リングの外周側面に、この外周側面から土圧抵抗鍔を半径方向に被載置のマンホール壁の円周上端面の外周よりも張り出して一体的に形成したことにより、例えば交通車両、地盤などの種々の影響により下向きの外力つまりマンホールを沈下させる方向に外力が作用したとき、調整リングの外周側面から半径方向に張り出した土圧抵抗鍔の下面がマンホール壁の周囲の地盤から上向きの反力を受けることで、マンホールが簡単に沈下するのを阻止して、マンホールの沈下によって引き起こされるマンホールの周囲の路面の亀裂の発生を防ぎ、路面の亀裂の発生に伴うマンホールの周囲の路面の補修工事を不要にすることが可能となる。
【０００９】
また、請求項２の発明に係るマンホール上部補強型調整リングによれば、前記の効果に加えて、土圧抵抗鍔の上面を調整リングの上面と同一の平坦面に形成し、土圧抵抗鍔の調整リング外周側面側の下面を調整リングの下面より少し低い位置に形成すると共に土圧抵抗鍔の下面を土圧抵抗鍔の外周縁に向けて斜め上向きの傾斜面に形成したことにより、土圧抵抗鍔が外周側面に形成されたマンホール上部補強型調整リングをマンホール壁の円周上端面に嵌合状態で装着できマンホール壁の円周上端面からずれるのを防ぐことができ、しかも、土圧抵抗鍔は外周縁に向けてその厚みが徐々に薄くなるので、土圧抵抗鍔の重量を少し軽くでき、土圧抵抗鍔が形成されたマンホール上部補強型調整リング全体の重量を少し軽くできると共に、片持ち梁となる土圧抵抗鍔の調整リング外周側面側に作用する自重による曲げモーメントを小さくできるので、その分部材断面を小さくすることができる。さらに、土圧抵抗鍔の下面は外周縁に向けて斜め上向きに傾斜しているので、土圧抵抗鍔の下面に作用する地盤からの反力Ｒを斜め上向きに傾斜する下面に沿ってその外周縁に向けて逃がし易くでき、地盤から土圧抵抗鍔の下面に作用する反力を少し緩和することができ、マンホール上部補強型調整リングの耐久性を高めることができる。
【００１０】
また、請求項３の発明に係るマンホール蓋受枠の取付補強工法によれば、前記請求項１及び請求項２の奏する効果に加えて、調整モルタルが充填される前記マンホール上部補強型調整リングの内周側寄り上面とマンホール蓋受枠の内周側寄り下面とに吸水膨張性止水材をリング状に取り付けることにより、マンホール蓋受枠の底板と調整モルタルとの隙間から或いは調整モルタルとマンホール上部補強型調整リングとの隙間から雨水が浸入しようとする場合、この吸水膨張性止水材の働きによって侵入しようとする水を吸収することにより膨張して隙間を完全に塞いで水の侵入を防ぐことができ、マンホール壁の内周側壁面が侵入した水で汚れるのを防止することができる。これにより、下水道に多数のマンホールが設置されていても、各マンホールの調整モルタルからの浸水を防ぐので、下水道内に多量の水が流れ込むという事態を阻止することができる。
【発明を実施するための最良の形態】
【００１１】
以下、図面に記載の発明を実施するための最良の形態に基づいて、この発明をより具体的に説明する。
ここで、図１は概略全体側断面図、図２はマンホール上部補強型調整リングの平面図、図３は部分側断面図、図４は側面Ｚ型バネの斜視図、図５はこの発明による外力と反力の説明図、図６はこの発明による他例の外力と反力の説明図、図７はこの発明による別の他例の外力と反力の説明図である。
【００１２】
図において、マンホール上部補強型調整リング１は、マンホール蓋受枠３の取り付け工事において使用されるものであって、マンホールが簡単に沈下するのを阻止して沈下によって引き起こされるマンホールの周囲の路面の亀裂の発生を防ぐ機能を果たす。そして、このマンホール上部補強型調整リング１を使用することで、路面の亀裂の補修工事を不要にすることができる利点がある。
【００１３】
マンホール上部補強型調整リング１は、筒形のマンホール壁２の円周上端面２１に高さを調整するために載置される厚みのある円形の調整リング１１の外周側面の全周に土圧抵抗鍔１２が一体的に張り出して形成した構成からなっている。マンホール上部補強型調整リング１を構成する調整リング１１及び土圧抵抗鍔１２は例えば鉄筋コンクリートで造られている。
【００１４】
調整リング１１は従来使用されている調整リングと同じ形状、つまり側面から見て一定の厚みを有し、平面からみて円形の形状をしており、その円形の内側の中央側にはこれよりも小さな円形孔が形成されている。調整リング１１の内側の円形孔の直径はこの調整リング１１が載せられるマンホール壁２の円周上端面２１の内径と略同一である。また、調整リング１１の外側の円形はマンホール壁２の円周上端面２１の内径と略同一である。
【００１５】
内側の中央側に円形孔１１ａが形成された調整リング１１の円周方向の表裏面には、勾配調整ボルト２２が貫通するボルト貫通孔１１ｂが一定間隔例えば１２０度の間隔で形成されている。調整リング１１の表裏面つまりマンホール壁２の円周上端面２１に設置時に上面と下面となる両面は上下平行となる平坦面に形成されている。ボルト貫通孔１１ｂを貫通する勾配調整ボルト２２はその側周面にネジ山が形成され、勾配調整ボルトの上部側には上方から調整ナット２２ａが螺合される。
【００１６】
土圧抵抗鍔１２はマンホール壁２の円周上端面２１の外周側の地盤からの反力Ｒによって、例えば交通車両などによる外力Ｆを受けた場合に一体的に連結される被載置のマンホール壁２が簡単に沈下するのを阻止する機能を果たすもので、被載置のマンホール壁２の円周上端面２１の外周よりも張り出して調整リング１１の外周側面に一体的に形成されている。つまり土圧抵抗鍔１２は調整リング１１の外周側面の全周から調整リング１１の半径方向に向けて張り出して形成されている。
【００１７】
土圧抵抗鍔１２の外周縁及び内周縁は平面から見て円形の形状になっている。土圧抵抗鍔１２は調整リング１１より大きな円形リング状であり、土圧抵抗鍔１２の内周縁は調整リング１１の外周縁と一体化されて結合されている。つまり土圧抵抗鍔１２の内径が調整リング１１の外径と同一で一体化されている。
【００１８】
土圧抵抗鍔１２の外径は大きい程、マンホール壁２の円周上端面２１の外周側の地盤から受ける反力Ｒは大きくなり、マンホール壁２の沈下を防ぐ力は大きくなるが、調整リング１１と一体化されて結合される土圧抵抗鍔１２の内周縁に作用する曲げモーメントや剪断力は大きくなり、これに対応できるようにするためには分厚くする必要が生じて、マンホール上部補強型調整リング１全体の自重が重くなるという問題もあり、これらの条件を考慮しながら、使用場所などによって土圧抵抗鍔１２の外径や厚みが決定される。
【００１９】
土圧抵抗鍔１２はその上面が調整リング１１の上面と同一の平坦面に形成されている。これに対して、土圧抵抗鍔１２の下面は調整リング１１の外周側面側に隣接する箇所が調整リング１１の下面より少し低い位置になるように段差が形成されている。
【００２０】
つまり、マンホール上部補強型調整リング１の下面はその中央の内側よりその周囲が一段低くなる段差が形成されていて、この段差を利用して、マンホール上部補強型調整リング１をマンホール壁２の円周上端面２１に設置するときに嵌合させることで、設置作業時の水平方向へのずれが防がれて、スムーズな設置作業が行われることになる。
【００２１】
また、調整リング１１の下面より少し低い位置の土圧抵抗鍔１２の下面は、土圧抵抗鍔１２の外周縁に向けて斜め上向きの傾斜面に形成されている。つまり、土圧抵抗鍔１２は調整リング１１の外周側面側に隣接する箇所が最も厚く、外周縁に向けて徐々に薄くなっていて、その先端側となる外周縁端がもっとも薄くなっている。
【００２２】
これは、調整リング１１の外周側面側に隣接する箇所に最大曲げモーメントや最大剪断力が作用し、先端側となる外周縁端に向けて作用する曲げモーメントや剪断力が小さくなるから、このようにすることで、土圧抵抗鍔１２の土圧に対する抵抗力を弱めることなく全体の重量を軽くできる。
【００２３】
マンホール上部補強型調整リング１がその上に設置される筒形のマンホール壁２の円周上端面２１には、円周方向に等間隔例えば１２０度の間隔で勾配調整ボルト２２の下端側が挿入支持されるボルト取付穴２３が形成されている。このボルト取付穴２３の穴位置はこの上に設置されるマンホール上部補強型調整リング１のボルト貫通孔１１ｂの孔位置と一致している。
【００２４】
マンホール壁２の円周上端面２１に設置されたマンホール上部補強型調整リング１の上方には間をあけて円形リング状のマンホール蓋受枠３が取り付けられる。このマンホール蓋受枠３の中央の開口孔にはマンホール蓋３１が取り付けられる。マンホール蓋受枠３は路面の勾配に合わせて調整されて傾斜して取り付けられる。マンホール蓋受枠３を傾斜させる作業のために、勾配調整ボルト２２の周囲にはこれを一時的に支持するバネ２４が取り付けられる。
【００２５】
バネ２４はマンホール蓋受枠３の傾きを路面の勾配に合うように調整する際に、マンホール上部補強型調整リング１の上方に取り付けるマンホール蓋受枠３を一時的に支持する機能を果たすもので、各勾配調整ボルト２２の周囲となるマンホール蓋受枠３の円形リング状底板３３のボルト取付孔３４の周囲を一時的に支持するものである。
【００２６】
バネ２４としては通常知られているコイルバネが使用されることがある。コイルバネを勾配調整ボルト２２の上方から下ろして、コイルバネの内部を勾配調整ボルト２２の上端側を貫通させて取り付ける。つまり勾配調整ボルト２２の外周側はコイルバネによって螺旋状に囲まれることになる。
【００２７】
バネ２４としてコイルバネを使用する場合は、マンホール蓋受枠３を勾配調整ボルト２２に貫通させて取り付ける前に勾配調整ボルト２２に取り付ける必要があり、マンホール蓋受枠３の取り付け前にコイルバネの取り付けを忘れた場合には勾配調整ボルト２２に貫通させた重たいマンホール蓋受枠３を持ち上げて一度勾配調整ボルト２２から取り外す不便がある。
【００２８】
また、使用したコイルバネが小さ過ぎたり逆に大き過ぎてして使用に適切でなく別のコイルバネと交換する必要がある場合にも、一度取り付けた重たいマンホール蓋受枠３を上側に持ち上げて各勾配調整ボルト２２から取り外す不便さがあり、バネ２４がコイルバネの場合には不便なことが多々ある。
【００２９】
そこで、コイルバネの不便さを解消するものとして、本願の出願人は側面Ｚ型バネを開発して、コイルバネに代えてこの側面Ｚ型バネをバネ２４として使用することもある。図では側面Ｚ型バネを使用している。側面Ｚ型バネは弾性板材をＺ型に折り曲げたものから構成される。
【００３０】
側面Ｚ型バネはバネの中央に上下方向に勾配調整ボルト２２が入るための貫通孔２４ａと上下貫通孔２４ａに通じる出入溝２４ｂとが側面Ｚ型バネの上板２４ｃ、斜板２４ｄ、下板２４ｅに形成されている。このうち、出入溝２４ｂは左右の側面と９０度の角度にある正面側に形成されている。この出入溝２４ｂを利用して側面から勾配調整ボルト２２にはめ込んだりこれから取り外したりする。
【００３１】
この側面Ｚ型バネをバネ２４として使用する場合には、バネ２４を勾配調整ボルト２２に取り付ける場合或いは取り外す場合に、既にマンホール蓋受枠３が取り付けられていても、重たいマンホール蓋受枠３を勾配調整ボルト２２から完全に抜き出すために高く持ち上げる必要がなく、側面Ｚ型バネの高さ分だけ勾配調整ボルト２２を持ち上げればよく、その取り扱いが非常に楽になる利点がある。
【００３２】
前記したようにマンホール蓋受枠３には円形側板３２の下端から外側に向けて水平な円形リング状底板３３が形成されており、この円形リング状底板３３には上記のボルト取付穴２３及びボルト貫通孔１１ｂの位置に対応する箇所にボルト取付孔３４が形成されている。ボルト取付孔３４は上記のボルト取付穴２３及びボルト貫通孔１１ｂと同様に円形リング状底板３３の円周方向に等間隔の例えば１２０度の間隔で形成されている（なお、図１ではわかりやすいように、ボルト取付孔３４、ボルト取付穴２３及びボルト貫通孔１１ｂは１８０度の位置で配置されている場合で描いている）。
【００３３】
調整モルタル４は、前記したようにマンホール上部補強型調整リング１と路面勾配に合わせて傾斜して取り付けられるマンホール蓋受枠３との間に充填される。長期間経過すると、マンホール蓋受枠３と調整モルタル４との間に、或いは調整モルタル４のマンホール上部補強型調整リング１との間に、それぞれ隙間が形成されて雨水が侵入するようになる。このため、それぞれの隙間には吸水膨張性止水材４１が取り付けられる。
【００３４】
吸水膨張性止水材４１は、水を吸収することで膨張する性質があり、雨水が浸入しようとする場合にはこの雨水を吸収することで膨張して隙間を完全に塞いで、雨水の浸入を阻止できる機能を有している。吸水膨張性止水材４１は調整モルタル４が充填される前記マンホール上部補強型調整リング１の円形孔１１ａの周囲の内周側寄り上面とマンホール蓋受枠３の円形リング状底板３３の内周側寄り下面とにリング状に取り付けられる。吸水膨張性止水材４１の取り付けは例えば接着剤や両面テープなどを使って行われる。
【００３５】
次に、上記発明を実施するための最良の形態の構成に基づく取り付け工事について以下説明する。
道路などに埋設された円筒形又は傾斜円筒形のマンホール壁２の円周上端面２１に例えば１２０度の等間隔で３箇所に形成されたボルト取付孔３４に、勾配調整ボルト２２の先端側を上向きに差し込んで取り付けて固定する。このとき、マンホール壁２の円周上端面２１は水平に設置されている。
【００３６】
次にマンホール壁２の円周上端面２１に高さを調整するためのコンクリート製の円形のマンホール上部補強型調整リング１を載せる。この発明のマンホール上部補強型調整リング１は高さを調整する目的で使用される他に、マンホール壁２が簡単に沈下するのを防いでその周囲の路面に亀裂が生じるのを防ぐ機能を果たす。
【００３７】
マンホール壁２の円周上端面２１の上方から被せるようにして載せるマンホール上部補強型調整リング１には、円周上端面２１に等間隔で上向きに取り付けられた各勾配調整ボルト２２の取り付け位置に対応した位置にボルト貫通孔１１ｂがそれぞれ形成されている。この各ボルト貫通孔１１ｂが各勾配調整ボルト２２の真上にくるようにして、マンホール上部補強型調整リング１を真下に下ろすと、各勾配調整ボルト２２の上端は対応する各ボルト貫通孔１１ｂの下側から挿入して貫通してマンホール上部補強型調整リング１の上面から上方に向けて突出する。
【００３８】
マンホール上部補強型調整リング１の中央側の調整リング１１の下面がマンホール壁２の円周上端面２１に密着して載る。マンホール壁２の円周上端面２１は水平なため、この上に密着して載るマンホール上部補強型調整リング１も水平に設置されてその上面は水平になる。このとき、マンホール上部補強型調整リング１の土圧抵抗鍔１２はマンホール壁２の円周上端面２１より外方に突出して、マンホール壁２の周囲の地盤上に位置することになり、施工後において例えば交通車両などによる外力Ｆを受けた場合には土圧抵抗鍔１２の下面はマンホール壁２の周囲の地盤から反力Ｒを受けてマンホール壁２が沈下するのを阻止してその周囲の路面に亀裂が簡単に入るのを防ぐ。
【００３９】
マンホール上部補強型調整リング１を取り付けた後、マンホール上部補強型調整リング１の上面から上方に突出している各勾配調整ボルト２２に前記のコイルバネ或いは側面Ｚ型バネからなるバネ２４を取り付ける。このバネ２４を取り付けた後に、上方から重たいマンホール蓋受枠３を取り付ける。この作業は、マンホール蓋受枠３の円形リング状底板３３の各ボルト取付孔３４に各勾配調整ボルト２２の先端が入るようにしながら下ろしていく。各勾配調整ボルト２２の上端側は対応する各ボルト取付孔３４を貫通して上方に突出する。
【００４０】
このとき、マンホール上部補強型調整リング１の上方に下ろしたマンホール蓋受枠３は、各勾配調整ボルト２２の周囲を囲むように取り付けた各バネ２４によって支持され、下方のマンホール上部補強型調整リング１の上面との間に上下に間隔をあけて支持されることになる。
【００４１】
マンホール上部補強型調整リング１の上面は水平になっているので、その上方に各バネ２４で支持されるマンホール蓋受枠３も水平になる。マンホール蓋受枠３の周囲の路面は通常、勾配があるので、水平なマンホール蓋受枠３を周囲の路面の勾配に一致させるように調整する必要が生じる。
【００４２】
水平なマンホール蓋受枠３は各バネ２４によって支持されているのみであるので、マンホール蓋受枠３の表面の高い部分を強く下向きに押すと、バネ２４の強さに打ち勝って少し沈めることができ、マンホール蓋受枠３を簡単に周囲の路面の勾配と一致させることができる。
【００４３】
このとき、マンホール蓋受枠３の円形リング状底板３３のボルト取付孔３４から突出する各勾配調整ボルト２２の上部側には調整ナット２２ａが螺合されていて、マンホール蓋受枠３を下向きに押して少し沈めて勾配が一致した時点で、調整ナット２２ａを回して下向きに移動させて調整ナット２２ａの下面で円形リング状底板３３のボルト取付孔３４の周囲の上面を押止めることにより、マンホール蓋受枠３の高さを周囲の路面の勾配に合わせる勾配調整作業は終了する。
【００４４】
マンホール蓋受枠３を取り付けた後、吸水膨張性止水材４１をマンホール上部補強型調整リング１の円形孔１１ａの周囲の内周側寄り上面とマンホール蓋受枠３の円形リング状底板３３の内周側寄り下面とにリング状に取り付ける。この吸水膨張性止水材４１の取り付け作業はマンホール蓋受枠３を取り付ける前でもよい。つまり、マンホール蓋受枠３の取り付け前後の作業が行いやすい時点でよい。
【００４５】
そして、マンホール蓋受枠３の高さを路面の勾配に合わせ、吸水膨張性止水材４１をそれぞれ取り付けた後、マンホール蓋受枠３の円形リング状底板３３とマンホール上部補強型調整リング１の調整リング１１の上面との隙間に調整モルタル４を充填することにより、マンホール蓋受枠の取り付け作業は完了する。
【００４６】
なお、この発明は上記発明を実施するための最良の形態に限定されるものではなく、この発明の精神を逸脱しない範囲で種々の改変をなし得ることは勿論である。例えば、バネ２４としては側面Ｚ型バネの場合で説明したが、これに限定されるものではなく、コイルバネでもよい。
【図面の簡単な説明】
【００４７】
【図１】この発明を実施するための最良の形態を示す概略全体側断面図である。
【図２】この発明を実施するための最良の形態を示すマンホール上部補強型調整リングの平面図である。
【図３】この発明を実施するための最良の形態を示す部分側断面図である。
【図４】この発明を実施するための最良の形態を示す側面Ｚ型バネの斜視図である。
【図５】この発明による外力と反力の説明図である。
【図６】この発明による他例の外力と反力の説明図である。
【図７】この発明による別の他例の外力と反力の説明図である。
【図８】従来説明図である。
【符号の説明】
【００４８】
１    マンホール上部補強型調整リング
１１    調整リング
１１ａ  円形孔
１１ｂ  ボルト貫通孔
１２    土圧抵抗鍔
２    マンホール壁
２１    円周上端面
２２    勾配調整ボルト
２２ａ  調整ナット
２３    ボルト取付穴
２４    バネ
２４ａ  上下貫通孔
２４ｂ  出入溝
２４ｃ  上板
２４ｄ  斜板
２４ｅ  下板
３    マンホール蓋受枠
３１    マンホール蓋
３２    円形側板
３３    円形リング状底板
３４    ボルト取付孔
４    調整モルタル
４１    吸水膨張性止水材
Ｆ    外力
Ｒ    反力
【図１】
2008101391.tif 000003
【図２】
2008101391.tif 000004
【図３】
2008101391.tif 000005
【図４】
2008101391.tif 000006
【図５】
2008101391.tif 000007
【図６】
2008101391.tif 000008
【図７】
2008101391.tif 000009
【図８】
2008101391.tif 000010